(57)【特許請求の範囲】
【請求項１】
刃を有した第一のブレードと第二のブレードとを開閉動作させて、前記両刃間に配された被切断物を鋏み切るようにしたハサミであって、
前記第一のブレードの刃の刃線が前記第二のブレードの刃峰側から突出せず且つ前記第二のブレードの刃の刃線が前記第一のブレードの刃峰側から突出しない閉じ姿勢から前記両刃の刃線が開いた状態で露出する開き姿勢までの間でのみ前記ブレードを開閉動作させることができるハサミモードと、少なくとも前記第一のブレードの刃の刃先部分が前記第二のブレードの刃峰側に露出するカッター姿勢をとることを許容するカッターモードと、前記両ブレードを前記閉じ姿勢にロックするロックモードとのいずれかを選択することができるように構成されたモード切替え機構を備えているカッター機能付きハサミ。
【請求項２】
刃を有した第一のブレードと第二のブレードとを開閉動作させて、前記両刃間に配された被切断物を鋏み切るようにしたハサミであって、
前記第一のブレードの刃の刃線が前記第二のブレードの刃峰側から突出せず且つ前記第二のブレードの刃の刃線が前記第一のブレードの刃峰側から突出しない閉じ姿勢から前記両刃の刃線が開いた状態で露出する開き姿勢までの間でのみ前記ブレードを開閉動作させることができるハサミモードと、少なくとも前記第一のブレードの刃の刃先部分が前記第二のブレードの刃峰側に露出するカッター姿勢をとることを許容するカッターモードのいずれかを選択することができるように構成されたモード切替え機構を備え、
前記モード切替え機構が、前記両ブレードを前記カッター姿勢から前記閉じ姿勢に向けて自己復帰させるための弾性付勢部材を備えたものであるカッター機能付きハサミ。
【請求項３】
前記両ブレードが、前記刃を有した先端側の領域と、前記刃を開閉動作させるためのハンドルを設けた基端側の領域との中間の領域において相互に枢結されたものであり、
前記モード切替え機構が、前記ブレードの基端側の領域に設けられたものである請求項１又は２記載のカッター機能付きハサミ。
【請求項４】
前記モード切替え機構が、一方のブレード側に操作可能に保持された作動子と、前記作動子に係り合って前記ハサミモードと前記カッターモードとを切替える係合部とを備えたものである請求項１、２又は３記載のカッター機能付きハサミ。
【請求項５】
前記第一のブレードが、前記カッターモードにおいて前記第二のブレードの刃先部分が刃峰側に露出するのを防止することができる先端部形状を有したものであり、前記第二のブレードが、前記カッターモードにおいて前記第一のブレードの刃先部分が刃峰側に露出するのを許容するための先端部形状を有したものである請求項１、２、３又は４記載のカッター機能付きハサミ。
【請求項６】
刃を有した第一のブレードと第二のブレードとを開閉動作させて、前記両刃間に配された被切断物を鋏み切るようにしたハサミであって、
前記第一のブレードの刃の刃線が前記第二のブレードの刃峰側から突出せず且つ前記第二のブレードの刃の刃線が前記第一のブレードの刃峰側から突出しない閉じ姿勢から前記両刃の刃線が開いた状態で露出する開き姿勢までの間でのみ前記ブレードを開閉動作させることができるハサミモードと、少なくとも前記第一のブレードの刃の刃先部分が前記第二のブレードの刃峰側に露出するカッター姿勢をとることを許容するカッターモードのいずれかを選択することができるように構成されており、何らの操作が加えられないときにはカッターモード以外のモードに自己復帰するモード切替え機構を備えているカッター機能付きハサミ。
【発明の詳細な説明】
【技術分野】
【０００１】
本発明は、刃を有した第一のブレードと第二のブレードとを開閉動作させて、前記両刃間に配された被切断物を鋏み切るようにしたハサミに関するものである。
【背景技術】
【０００２】
従来、刃を有した第一のブレードと第二のブレードとを開閉動作させて、前記両刃間に配された被切断物を鋏み切るようにしたハサミ、すなわち、前記両刃の刃線が開いた状態で露出する開き姿勢から前記両刃の刃線が露出しない閉じ姿勢までの間で前記両刃間に配された被切断物を鋏み切るようにしているハサミが周知である。
【０００３】
そしてそのようなハサミのうち、前記開き姿勢から前記閉じ姿勢を超えて両刃を動作させて、少なくとも前記第一のブレードの刃の刃先部分が前記第二のブレードの刃峰側に露出するカッター姿勢をとることができるハサミも提案されている(例えば、特許文献１参
照)。このようなハサミは、前記カッター姿勢に姿勢変更することで、ハサミでありなが
ら前記第一のブレードの刃先部分を被切断物に押し当て、被切断物をカッターのように切ることができる。
【０００４】
しかしながら上記特許文献１に記載されているようなハサミでは、使用者が前記ハサミを取り扱う際、特にハサミの両ブレードを握る動作を行うとき、使用者の意志に反して前記両刃が閉じ姿勢を超えて動作してしまい前記カッター姿勢をとってしまう可能性がある。そうなると第一のブレードの刃先部分が誤って使用者の手指に接してしまうという不具合が起こり得る。
【先行技術文献】
【特許文献】
【０００５】
【特許文献１】特開２００６−２３０７３３号公報
【発明の概要】
【発明が解決しようとする課題】
【０００６】
本発明は、このような不具合に着目したものであり、カッターとしても利用できるハサミでありながら、使用者の意志に反してカッター姿勢となってしまうことを有効に防止できるハサミを提供することを目的としている。
【課題を解決するための手段】
【０００７】
本発明は、このような目的を達成するために、次のような手段を講じたものである。
【０００８】
すなわち請求項１の発明に係るカッター機能付きハサミは、刃を有した第一のブレードと第二のブレードとを開閉動作させて、前記両刃間に配された被切断物を鋏み切るようにしたハサミであって、前記第一のブレードの刃の刃線が前記第二のブレードの刃峰側から突出せず且つ前記第二のブレードの刃の刃線が前記第一のブレードの刃峰側から突出しない閉じ姿勢から前記両刃の刃線が開いた状態で露出する開き姿勢までの間でのみ前記ブレードを開閉動作させることができるハサミモードと、少なくとも前記第一のブレードの刃の刃先部分が前記第二のブレードの刃峰側に露出するカッター姿勢をとることを許容するカッターモードと、前記両ブレードを前記閉じ姿勢にロックするロックモードとのいずれかを選択することができるように構成されたモード切替え機構を備えたものである。
【０００９】
このようなものであれば、使用者が被切断物を鋏み切る目的で使用しているハサミモードではカッター姿勢をとることがない。これにより、ハサミモードにおける閉じ姿勢にあるハサミの両ブレードを握る動作をしても、第一のブレードの刃の刃先部分が誤って使用者の手指等に触れてしまうという不具合を有効に回避することができる。またモード切替え機構を使用者が操作してカッターモードとしたときにはじめてカッターのように使用することができるので、モード切替え機構をカッターモードに切り替えた使用者自身に第一のブレードの刃先部分を十分に認識させることができ、上記不具合を未然に回避することにも資する。
また、モード切替え機構を、ハサミモードと、カッターモードと、両ブレードを閉じ姿勢にロックするロックモードのいずれかを選択することができるように構成しているので、使用者にとって、不要なときに第一のブレードの刃の刃先部分に触れてしまう可能性をより有効に低減することができる。
【００１０】
請求項２の発明に係るカッター機能付きハサミは、刃を有した第一のブレードと第二のブレードとを開閉動作させて、前記両刃間に配された被切断物を鋏み切るようにしたハサミであって、前記第一のブレードの刃の刃線が前記第二のブレードの刃峰側から突出せず且つ前記第二のブレードの刃の刃線が前記第一のブレードの刃峰側から突出しない閉じ姿勢から前記両刃の刃線が開いた状態で露出する開き姿勢までの間でのみ前記ブレードを開閉動作させることができるハサミモードと、少なくとも前記第一のブレードの刃の刃先部分が前記第二のブレードの刃峰側に露出するカッター姿勢をとることを許容するカッターモードのいずれかを選択することができるように構成されたモード切替え機構を備え、
前記モード切替え機構が、前記両ブレードを前記カッター姿勢から前記閉じ姿勢に向けて自己復帰させるための弾性付勢部材を備えたものである。
このようなものであっても、使用者が被切断物を鋏み切る目的で使用しているハサミモードではカッター姿勢をとることがない。これにより、ハサミモードにおける閉じ姿勢にあるハサミの両ブレードを握る動作をしても、第一のブレードの刃の刃先部分が誤って使用者の手指等に触れてしまうという不具合を有効に回避することができる。またモード切替え機構を使用者が操作してカッターモードとしたときにはじめてカッターのように使用することができるので、モード切替え機構をカッターモードに切り替えた使用者自身に第一のブレードの刃先部分を十分に認識させることができ、上記不具合を未然に回避することにも資する。
さらに、モード切替え機構を、両ブレードをカッター姿勢から閉じ姿勢に向けて自己復帰させるための弾性付勢部材を備えたものとしているので、使用者の明確な意志によってのみカッター姿勢を取り得るようにして、カッター姿勢において刃先部分が被切断物以外のものに触れてしまうことを有効に回避することができる。
【００１１】
取り扱いし易いモード切替え機構の一態様として、両ブレードが、刃を有した先端側の領域と、刃を開閉動作させるためのハンドルを設けた基端側の領域との中間の領域において相互に枢結されたものであり、モード切替え機構が、ブレードの基端側の領域に設けられたものを挙げることができる。
【００１２】
使用者の明確な意志によってのみカッター姿勢を取り得るようにして、カッター姿勢において刃先部分が被切断物以外のものに触れてしまうことを有効に回避するためには、両ブレードをカッター姿勢から閉じ姿勢に向けて自己復帰させるための弾性付勢部材を備えたものとすることが望ましい。ここで、当該弾性付勢部材を設ける態様はモード切替え機構の一要素として設ける態様に限られない。すなわち、モード切替え機構と弾性付勢部材とは同じ箇所に設ける態様に限られず別の部材として設けても良い。さらにはモード切替え機構と弾性付勢部材とは別の箇所に設けてもよい。
【００１３】
簡素でありつつも確実な切替えを行い得るモード切替え機構の一態様として、モード切替え機構が、一方のブレード側に操作可能に保持された作動子と、作動子に係り合ってハサミモードとカッターモードとを切替える係合部とを備えたものである態様を挙げることができる。
【００１４】
カッターモードでの使用中に刃先が使用者の手指に触れてしまうことをより有効に回避しつつ使用しやすいものとするためには、第一のブレードが、カッターモードにおいて第二のブレードの刃先部分が刃峰側に露出するのを防止することができる先端部形状を有したものとし、第二のブレードが、カッターモードにおいて第二のブレードの刃先部分が刃峰側に露出するのを許容するための先端部形状を有したものとすることが望ましい。
【００１５】
また、請求項６の発明に係るカッター機能付きハサミは、刃を有した第一のブレードと第二のブレードとを開閉動作させて、前記両刃間に配された被切断物を鋏み切るようにしたハサミであって、前記第一のブレードの刃の刃線が前記第二のブレードの刃峰側から突出せず且つ前記第二のブレードの刃の刃線が前記第一のブレードの刃峰側から突出しない閉じ姿勢から前記両刃の刃線が開いた状態で露出する開き姿勢までの間でのみ前記ブレードを開閉動作させることができるハサミモードと、少なくとも前記第一のブレードの刃の刃先部分が前記第二のブレードの刃峰側に露出するカッター姿勢をとることを許容するカッターモードのいずれかを選択することができるように構成されており、何らの操作が加えられないときにはカッターモード以外のモードに自己復帰するモード切替え機構を備えているものである。
【００１６】
このようなものであっても、請求項１の発明に係るカッター機能付きハサミと同様の効果を得ることができる。
【発明の効果】
【００１７】
本発明によれば、カッターとしても利用できるハサミでありながら、使用者の意志に反してカッター姿勢となってしまうことを有効に防止できるハサミを提供することができる。
【図面の簡単な説明】
【００１８】
【図１】本発明の第一の実施形態に係る斜視図。
【図２】同正面図。
【図３】図２に係る動作説明図。
【図４】図３に係る要部の拡大図。
【図５】図４に係るＡ−Ａ線断面図。
【図６】同実施形態に係る分解斜視図。
【図７】同実施形態に係る他の分解斜視図。
【図８】同実施形態に係る動作を表として示す図。
【図９】本発明の第二の実施形態に係る斜視図。
【図１０】同実施形態に係る動作説明図。
【図１１】本発明の第三の実施形態に係る正面図。
【図１２】同平面図。
【図１３】同側面図。
【図１４】図１１に係るＢ−Ｂ断面図。
【図１５】図１１に係る動作説明図。
【図１６】同実施形態に係る分解斜視図。
【図１７】同実施形態に係る他の分解斜視図。
【図１８】同実施形態に係る他の分解斜視図。
【図１９】同実施形態に係る他の分解斜視図。
【図２０】同実施形態に係る動作説明図。
【図２１】同実施形態に係る動作説明図。
【図２２】同実施形態に係る動作説明図。
【図２３】図１５に係る要部の拡大図。
【図２４】図２３に係るＣ−Ｃ断面図。
【発明を実施するための形態】
【００１９】
＜第一の実施形態＞
以下、本発明の第一の実施形態について図面を参照して説明する。
【００２０】
本実施形態に係るカッター機能付きハサミ（以下、ハサミと記す）Ａは、例えば刃を有した第一のブレードたる第一ブレード１と第二のブレードたる第二ブレード２とを開閉動作させて、両刃１１、２１間に配された被切断物である紙Ｓ等のシート状をなすものを鋏み切るようにしたものである。
【００２１】
このハサミＡは、第一ブレード１、第二ブレード２に加え、これら両ブレード１、２の基端側の領域１ｃ、２ｃに設けられた第一ハンドル３、第二ハンドル４と、中間の領域１ｂ、２ｂでこれら両ブレード１、２を枢着する枢着ピン６と、第一ブレード１の先端側の領域１ａに取り付けられたブレードガード７とを有している。
【００２２】
しかして本実施形態に係るハサミＡは、両刃１１、２１の刃線１２、２２が露出しない、具体的には第一ブレード１の刃線１２が第二ブレード２の刃峰２４から突出せず且つ第二ブレード２の刃線２２が第一ブレード１の刃峰１４から突出しない閉じ姿勢（Ｒ１）から両刃１１、２１の刃線１２、２２が開いた状態で露出する開き姿勢（Ｑ１）までの間でのみブレード１、２を開閉動作させることができるハサミモード（Ｑ）と、少なくとも第一ブレード１の刃の刃先部分１７が第二ブレード２の刃峰２４側に露出するカッター姿勢（Ｐ１）をとることを許容するカッターモード（Ｐ）のいずれかを選択することができるように構成されたモード切替え機構５とを備えている。
【００２３】
このハサミＡは、第一ハンドル３と第二ハンドル４との間に設けられたモード切替え機構５を備えることで、第一ブレード１の刃線１２が第二ブレード２の刃峰２４から突出せず且つ第二ブレード２の刃線２２が第一ブレード１の刃峰１４から突出しない閉じ姿勢（Ｒ１）から両刃１１、２１の刃線１２、２２が開いた状態で露出する開き姿勢（Ｑ１）までの間でのみブレード１、２を開閉動作させることができるハサミモード（Ｑ）と、少なくとも第一ブレード１の刃の刃先部分１７が第二ブレード２の刃峰２４側に露出するカッター姿勢（Ｐ１）をとることを許容するカッターモード（Ｐ）と、両ブレード１、２を閉じ姿勢（Ｒ１）にロックするロックモード（Ｒ）とのいずれかを選択することができるように構成されている。
【００２４】
加えてこのハサミＡは特に図３に示すように、カッターモード（Ｐ）において人差し指でブレードガード７を押圧するとき、第一ブレード１が最も適した姿勢で被切断物たる紙Ｓに接することができる。以下、ハサミＡの各構成要素について具体的に説明する。
【００２５】
第一ブレード１は、図１〜図７に示すように、例えばステンレス鋼板等の金属板を素材としたものであり、この実施形態のものはプレスにより成形されるものである。この第一ブレード１は、紙Ｓ等を鋏み切る際に上方に位置する。また本実施形態では、この第一ブレード１は、刃１１を有した先端側の領域１ａと刃１１を開閉動作させるための第一ハンドル３を設けた基端側の領域１ｃとの中間の領域１ｂにおいて枢着ピン６を介して第二ブレード２に枢結されたものである。先端側の領域１ａに設けられた刃１１は、第二ブレード２と摺動可能かつ平坦な刃裏面１６と、第一ブレード１と反対側に向かう面である外面すなわち刃表面１５と、これら刃裏面１６、刃表面１５間に形成された刃線１２とを有している。この刃線１２の全長は、本実施形態では例えば約７０ｍｍに設定している。これら刃裏面１６と刃表面１５との間の刃線１２における刃角度は４０°〜５０°の範囲で任意に設定してよいが、本実施形態では例えば約５０°に設定している。さらにこの第一ブレード１は、刃線１２と反対側の端縁に形成した刃峰１４と、先端部に位置する刃先部分１７とを具備する。なお本実施形態では、刃先部分１７よりも基端側における刃峰１４側にブレードガード７を取り付けている。また、この第一ブレード１の基端側の領域１ｃには第一ハンドル３を取り付けている。加えてこの第一ブレード１は少なくとも刃先部分１７近傍の先端部形状を、使用中の如何なる状態であっても第二ブレード２の刃先部分２７が刃峰１４側に露出するのを防止することができる形状とすべく、第二ブレード２よりも短寸方向における刃裏面１６のサイズを大きく設定している。
【００２６】
第二ブレード２は、紙Ｓの下方に挿入されるものである。この第二ブレード２は第一ブレード１同様、ステンレスにより構成した金属板を素材とし、全体を一体的にプレス成形することにより形成してなる板状のものである。この金属板の厚さ寸法は任意であり、本実施形態では例えば約１．８ｍｍに設定している。この第二ブレード２は、刃２１を有した先端側の領域２ａと刃２１を開閉動作させるための第二ハンドル４を設けた基端側の領域２ｃとの中間の領域２ｂにおいて枢着ピン６を介して第一ブレード１に枢結されたものである。先端側の領域２ａに設けられた刃２１は、第一ブレード１と摺動可能かつ平坦な刃裏面２６と、第一ブレード１と反対側に向かう面である外面すなわち刃表面２５と、これら刃裏面２６、刃表面２５間に形成された刃線２２とを有している。この刃線２２の全長は、本実施形態では例えば約７０ｍｍに設定している。これら刃裏面２６と刃表面２５との間の刃線２２における刃角度は、本実施形態では例えば約５０°に設定している。さらにこの刃２１は、刃線２２と反対側の側端縁に形成した刃峰２４と、先端部に位置する刃先部分２７と、この刃先部分２７の刃峰２４を凹ませて形成した凹み部分２８とを具備する。すなわちこの凹み部分２８を形成することで第二ブレード２は、第一ブレード１の刃先部分１７が刃峰２４側に露出するのを許容するための先端部形状を有することになる。加えて本実施形態では、凹み部分２８における下面に定規を当てれば、自ずとカッター姿勢（Ｐ１）としての使用時に真っ直ぐ直線状に紙Ｓを切断できる形状に設定してある。
【００２７】
第一ハンドル３は、前端側に第一ブレード１の基端側の領域１ｃを挿入して取り付けるようにしたハンドル本体３１を主体としたもので、このハンドル本体３１と、使用者の人差し指、中指、又は薬指をかけておくための指掛け３２と、第二ハンドル４と協働してスムーズな開閉動作を促すための案内凹所３３と、第二ハンドル４側から突出する後述するピン５５を収容するためのピン収容部３５とを有している。この第一のハンドルは、本実施形態では例えば硬質の樹脂により一体成形されたものとしているが勿論、指掛け３２を構成する部分のみ別体の軟質樹脂を用い、使用者の手指によりフィットし易くする態様を妨げない。また第一ハンドル３は第二ハンドル４に対し略対称形状をなしているが、非対称であっても良い。
【００２８】
第二ハンドル４は、前端側に第二ブレード２の基端側の領域２ｃを挿入して取り付けるようにしたハンドル本体４１を主体としたもので、このハンドル本体４１と、使用者の親指をかけておくための指掛け４２と、第一ハンドル３と協働してスムーズな開閉動作を促すための摺動突条４４とを有している。すなわち、両ブレード１、２が開閉動作を行う際、第一ハンドル３の案内凹所３３内をこの摺動突条４４が摺動することが、これら両ブレード１、２のスムーズな開閉動作に寄与している。また第二ハンドル４の外側の形状は、第一ブレード１の刃峰１４が延びる方向の仮想の延長線から大きく突出しないような形状となっている。当該第二ハンドル４の外側の形状をこのように直線に近いなだらかな湾曲形状とすることにより、図３に示すように、カッターナイフを握るような持ち方をした場合、第二ハンドル４は手の掌に程よくフィットし得る。またハサミモード（Ｑ）での使用時から同図の態様への相互の持ち替えもスムーズに行うことができる。
【００２９】
ブレードガード７は、図３〜図５に示すように、第一ブレード１の刃先部分１７よりも若干基端側から枢着ピン６近傍に至る刃１１の最も基端側における刃峰１４側から刃表面１５、刃裏面１６の短寸寸法の約三分の一程度を覆うように取り付けられている。このブレードガード７は、ハサミモード（Ｑ）としての使用時に使用者がブレードガード７越しの紙Ｓ等の被切断物を良好に視認し得るよう大き過ぎないサイズに設定してある。これにより、ブレードガード７を紙Ｓよりも上側に位置させながらハサミモード（Ｑ）として使用してもブレードガード７が邪魔にならない。このことは、ハサミモード（Ｑ）からカッターモード（Ｐ）とすべくハサミＡを持ち替えるときに、ハサミＡを上下反転させることなく速やかに持ち替えて使用できることを意味する。また勿論、ハサミモード（Ｑ）での紙Ｓへの視認性をさらに向上させたければ、ブレードガード７の大きさを更に小さくすればよい。またこのブレードガード７は、もし刃峰１４に直接指を置いて押圧すると指が痛くなることを回避すべく、人差し指を添えて押圧しても痛くないように成形されている。このブレードガード７の厚み寸法は、第一ハンドル３、第二ハンドル４の厚み寸法と同程度か、若干大きい寸法に設定されている。ブレードガード７は、第一ブレード１の一端部に形成された平面である押圧操作面７１と、第一ブレード１の刃裏面１６側における他端縁において第二ブレード２の刃２１の厚みよりも大きく厚み寸法に突出させて形成したガード面７２とを有している。このガード面７２を設けることにより、使用者が手指を第一ブレード１の刃峰１４側に添えたとき、ハサミＡが何れの姿勢をとっても第二ブレード２の刃線２２が手指に当たることはない。具体的には、ガード面７２が閉じ姿勢（Ｒ１）及びカッター姿勢（Ｐ１）にあるときに第二ブレード２の刃線２２に近接する位置となるようにしているため、使用者はこれらの姿勢にあるガード面７２に対面した第二ブレード２の刃線２２に触れることができない。なお本実施形態ではブレードガード７は第一ブレード１とは異なる素材である樹脂素材を適用したが勿論、用いる素材は問わない。例えば第一ブレード１と同じ素材としても良い。その場合、第一ブレード１の刃峰１４側の一部を平坦面となるようにプレス成形することによりブレードガード７を設けても良い。
【００３０】
そして押圧操作面７１は、第一ブレード１の刃峰１４の端面よりも、例えば２５°程度刃表面１５寄りに傾斜した角度をなした平面である。そしてこの押圧操作面７１を有するブレードガード７が、姿勢誘導手段に相当する。当該姿勢誘導手段たるブレードガード７を利用したカッターモード（Ｐ）におけるハサミＡの取り扱いについては後に説明する。
【００３１】
モード切替え機構５は、本実施形態では第一ブレード１及び第二ブレード２の基端側の領域１ｃ、２ｃにおいて第一ハンドル３及び第二ハンドル４の間に設けられている。このモード切替え機構５は第二ハンドル４に対しスライド可能に取り付けられた作動子５１の位置を調整することにより、上記の通りハサミモード（Ｑ）、カッターモード（Ｐ）及びロックモード（Ｒ）を任意に切り替え得るものである。以下、このモード切替え機構５の構成について、図１〜図３、図６〜図８を用いて説明する。
【００３２】
モード切替え機構５は、第二ハンドル４にスライド可能に設けられた作動子５１と、作動子５１と係り合って第一ハンドル３に対する相対動作を許容又は制限するための係合部５２と、作動子５１を所要の位置に位置決めし得るように作動子５１を支持しているスライド案内部５３とを有している。
【００３３】
スライド案内部５３は、作動子５１側に一体に形成され第二ハンドル４側に突出した第一取付爪５３ａと、第二ハンドル４側にスリット状に設けられ第一取付爪５３ａをスライド可能に支持する第一スライド溝５３ｂと、作動子５１側に一体に且つ第一取付爪５３ａに対向する位置に形成された第二取付爪５３ｃと、第二取付爪５３ｃをスライド且つ位置決めし得る第二スライド溝５３ｄとを有している。第二取付爪５３ｃは、第二スライド溝５３ｄ側に突出した節度突条５３ｅを有している。第二取付溝は、内面側両端付近及び中央箇所の三箇所において節度突条５３ｅに凹凸嵌合し得る節度凹所５３ｆを有している。そしてこのスライド案内部５３により、作動子５１は、カッターモード（Ｐ）、ハサミモード（Ｑ）、ロックモード（Ｒ）に相当する正確な位置で樹脂素材を凹凸嵌合させることで、精度の高い節度機構を実現している。
【００３４】
作動子５１は、使用者の手指からの操作力を受けるスライド操作体５１ａと、スライド操作体５１ａを基端として板状に延び弾性変形可能に形成された弾性付勢部材たる板ばね５４と、この板ばね５４の先端に設けられた概略円筒形状をなすピン５５とを有している。スライド操作体５１ａは、使用者の手指から操作力を滑り無く受け得るよう、表面に細かな凹凸が形成されている。板ばね５４は、スライド操作体５１ａの位置により、弾性変形を許容及び禁止され得るものであり、本実施形態ではカッターモード（Ｐ）でのみ、この板ばね５４が弾性変形可能なように構成されている。ピン５５は、板ばね５４の先端からさらに第一ハンドル３側にまで突出している。そしてピン５５の突出端は第一ハンドル３側のピン収容部３５及び案内凹所３３内に収容され、ピン収容部３５のカッター部分及びロック部分にピン５５の突出端が位置しているときは、ピン５５に対する第一ハンドル３の動作が禁止される。
【００３５】
係合部５２は、作動子５１に係り合ってハサミモード（Ｑ）、カッターモード（Ｐ）及びロックモード（Ｒ）を切替えるためのものである。この係合部５２は、カッターモード（Ｐ）で両ブレード１、２が開き姿勢（Ｑ１）をとることを禁止すべく作動子５１に係り合う規制部分５６と、ハサミモード（Ｑ）で閉じ姿勢（Ｒ１）から開き姿勢（Ｑ１）までの間でのみブレード１、２が開閉動作を行い得るよう作動子５１に係り合う開閉許容部分５７と、ブレード１、２をロックモード（Ｒ）にロックするロック部分５８と、閉じ姿勢（Ｒ１）からカッター姿勢（Ｐ１）への姿勢変更に伴うピン５５の動作を許容する変形許容部分５９とを有している。規制部分５６は、板ばね５４を挟み込むように収容し得る規制スリット５６ａを有している。開閉許容部分５７は、ハサミモード（Ｑ）にあるピン５５に当接することによりピン５５と第二ハンドル４との相対移動を禁止し得るピン支持面５７ａを有している。ロック部分５８は、規制スリット５６ａの縁部においてロックモード（Ｒ）にあるピン５５の外面に外嵌し得る部分円筒面状に凹ませて形成したピン固定面５８ａを有している。このピン固定面５８ａに接したピン５５は、規制スリット５６ａに板ばね５４が収容されていることも作用し、第二ハンドル４に対して動作し得ない状態にある。変形許容部分５９は、ピン５５をカッターモード（Ｐ）としたときに一方側にのみ隙間を形成すべく第二ハンドル４を構成する素材を凹ませて設けたものである。すなわちカッターモード（Ｐ）にあるピン５５は変形許容部分５９への方向のみ弾性変形可能となることで、これによるピン５５と第二ハンドル４との相対移動が許容される。
【００３６】
続いて、図８を主に参照しつつ、モード切替え機構５によるハサミモード（Ｑ）、カッターモード（Ｐ）及びロックモード（Ｒ）にすべく作動子５１を動作させたときの各部の挙動について説明する。同図は、各モードにおける構成要素の態様をそれぞれ、作動子５１、係合部５２及びハンドルに着目した要部を図示している。
【００３７】
ハサミモード（Ｑ）として作動子５１を動作範囲中央にセットしたとき、板ばね５４は一部が規制スリット５６ａから露出しているもののピン５５が開閉部分のピン支持面５７ａに当接しているため、ピン５５と第二ハンドル４との相対動作は禁止されている。しかしピン５５は第一ハンドル３に対してピン収容部３５から案内凹所３３を経て第一ハンドル３の内外を移動できるようになっている、これによりハサミＡは両刃１１、２１の刃線１２、２２が露出しない閉じ姿勢（Ｒ１）から両刃１１、２１の刃線１２、２２が開いた状態で露出する開き姿勢（Ｑ１）までの間でのみブレード１、２を開閉動作させることができるハサミモード（Ｑ）が実現される。ここで、特に第一ブレード１の刃線１２が第二ブレード２の刃峰２４から突出せず且つ第二ブレード２の刃線２２が第一ブレード１の刃峰１４から突出しない当該閉じ姿勢（Ｒ）としたときは同図中央に示すようにピン５５の図示上方向への移動が禁止されているため、ハサミモード（Ｑ）では閉じ姿勢（Ｒ１）から開き姿勢（Ｑ１）とは逆側への動作が禁止される。これによりハサミモード（Ｑ）はカッター姿勢（Ｐ１）をとることが禁止される。すなわち当該ハサミモード（Ｑ）は、閉じ姿勢（Ｒ１）から開き姿勢（Ｑ１）までの間で「のみ」両ブレード１、２の開閉動作が許容される。
【００３８】
カッターモード（Ｐ）として作動子５１を動作範囲における図示一旦側にセットしたとき、板ばね５４は規制スリット５６ａから露出し、ピン５５は変形許容部分５９が設けられた図示上側でのみ第二ハンドル４に対し動作可能である。このときピン５５はカッター端３５ｐに位置し第一ハンドル３に対して動作することができない。ピン５５が第二ハンドル４に対し図示上側へ移動するということは、第一ブレード１に対し第二ブレード２は閉じ姿勢（Ｒ１）から開き姿勢（Ｑ１）とは反対方向へ、変形許容部分５９のスペースのみ回動し得る。換言すれば、このカッターモード（Ｐ）において使用者が両ハンドルが合い寄るように握る等の動作を行えば開き方向とは逆に両ブレード１、２が相対回動するために図３〜図５に示すカッター姿勢（Ｐ１）を取ることができる。本実施形態では変形許容部分５９内をピン５５が侵入することで両ブレード１、２が３°相対回動する。そして図８に示すようにカッター姿勢（Ｐ１）においてピン５５が変形許容部分５９内に侵入するときは板ばね５４が弾性変形する。すなわちカッター姿勢（Ｐ１）から使用者がハンドルへの把持を中止する等により外力を解除すれば板ばね５４の弾性復帰によりハサミＡは閉じ姿勢（Ｒ１）へ自己復帰する。
【００３９】
ロックモード（Ｒ）として作動子５１を動作範囲における図示他端側にセットしたとき、板ばね５４は規制スリット５６ａ内に略全域が収容されるとともにピン５５はロック部分５８におけるピン固定面５８ａに嵌り込むため、ピン５５と第二ハンドル４との相対動作は禁止されている。併せてピン５５は第一ハンドル３に設けたピン収容部３５のロック端３５ｒに収容され第一ハンドル３に対して動作することができない。つまりロックモード（Ｒ）では、ピン５５が第一ハンドル３に対しても第二ハンドル４に対しても動作し得ない状態となるため、ハサミＡが閉じ姿勢（Ｒ１）から動作し得ないロックされた状態が実現される。
【００４０】
しかして本実施形態では、上記カッターモード（Ｐ）でのみ実現されるカッター姿勢（Ｐ１）にて使用者が操作するための操作部たるブレードガード７を備えている。そしてこのブレードガード７が、両ブレード１、２の姿勢を矯正するのに適した形に造形されたものである。
【００４１】
つまり、図３〜図５に示すように、第一ブレード１の刃峰１４の端面は刃裏面１６の面方向に対し直交する向きに面している。そしてこの刃峰１４の端面よりも、上述したように、例えば約５０°に設定された第一ブレード１の刃角度の半分の角度である２５°だけ傾斜させている。換言すれば押圧操作面７１は、第一ブレード１の刃先部分１７の刃表面１５と刃裏面１６との間に想定される二等分仮想面Ｘに対し直交する方向に面している。
【００４２】
特に図５に示すように、この押圧操作面７１を使用者が被切断物である紙Ｓの表面へ向けて押圧するとき、第一ブレード１の刃先部分１７の刃表面１５と刃裏面１６との間に想定される二等分仮想面Ｘが紙Ｓの表面に直交するようにブレード１、２の姿勢を誘導されながら刃先部分１７が紙Ｓに接する。その結果、使用者はカッター姿勢（Ｐ１）としたハサミＡをカッターとして用いたとき、両刃形状をなす刃を有する他の市販のカッターナイフ同様の使い心地を得ることができる。加えて本実施形態では上述の通り、凹み部分２８における下面に定規を当てて、カッター姿勢（Ｐ１）において定規に沿って正確に紙Ｓを切断することも可能である。
【００４３】
以上のような構成とすることにより、本実施形態に係るカッター機能付きハサミＡは、使用者が紙Ｓを鋏み切る目的で使用しているハサミモード（Ｑ）ではカッター姿勢（Ｐ１）をとることがない。これにより、ハサミモード（Ｑ）における閉じ姿勢（Ｒ１）にあるハサミＡの両ブレード１、２を握る動作をしても、第一ブレード１の刃１１の刃先部分１７が誤って使用者の手指等に触れてしまうという不具合を有効に回避せしめている。またモード切替え機構５を使用者が操作してカッターモード（Ｐ）としたときにはじめてカッターのように使用することができるので、モード切替え機構５をカッターモード（Ｐ）に切り替えた使用者自身に第一ブレード１の刃先部分１７を十分に認識させることができ、上記不具合を未然に回避している。
【００４４】
取り扱いし易いモード切替え機構５の一態様として本実施形態では、両ブレード１、２が、刃１１、２１を有した先端側の領域１ａ、２ａと、刃１１、２１を開閉動作させるためのハンドルを設けた基端側の領域１ｃ、２ｃとの中間の領域１ｂ、２ｂにおいて相互に枢結されたものであり、モード切替え機構５が、ブレード１、２の基端側の領域１ｃ、２ｃに設けられたものとしている。
【００４５】
また、使用者にとって、不要なときに第一ブレード１の刃１１の刃先部分１７に触れてしまう可能性をより有効に低減するために本実施形態では、モード切替え機構５を、ハサミモード（Ｑ）と、カッターモード（Ｐ）と、両ブレード１、２を閉じ姿勢（Ｒ１）にロックするロックモード（Ｒ）のいずれかを選択することができるように構成している。
【００４６】
使用者の明確な意志によってのみカッター姿勢（Ｐ１）を取り得るようにして、カッター姿勢（Ｐ１）において刃先部分１７が被切断物以外のものに触れてしまうことを有効に回避するために本実施形態では、モード切替え機構５を、両ブレード１、２をカッター姿勢（Ｐ１）から閉じ姿勢（Ｒ１）に向けて自己復帰させるための弾性付勢部材たる板ばね５４を設けている。
【００４７】
より取り扱い易いモード切替え機構５を実現するために本実施形態では、モード切替え機構５が、第二ブレード２側に操作可能に保持された作動子５１と、作動子５１に係り合ってハサミモード（Ｑ）とカッターモード（Ｐ）とを切替える係合部５２とを備えたものとしている。
【００４８】
カッターモード（Ｐ）での使用中に刃先部分１７が使用者の手指に触れてしまうことをより有効に回避しつつ使用しやすいものとするために本実施形態では、第一ブレード１が、カッターモード（Ｐ）において第二ブレード２の刃先部分２７が刃峰１４側に露出するのを防止することができる先端部形状を有したものとし、第二ブレード２が、カッターモード（Ｐ）において第一ブレード１の刃先部分１７が刃峰２４側に露出するのを許容するための先端部形状を有するために凹み部分２８を設けた。
＜第二の実施形態＞
以下、本発明の第二の実施形態について説明する。当該実施形態において上記第一の実施形態の構成要素に相当するものに対しては同じ符号を付すとともに、その詳細な説明を省略する。
【００４９】
図９及び図１０に示す本実施形態に係るハサミＡは、上記第一の実施形態に係るハサミＡに対し、両ハンドル３、４の外形が大きく異なる点、ブレードガード７が第一ハンドル３に一体に形成されている点、第二ブレード２に凹み部分２８を有していない点、は異なるものの、これらの相違点から上記第一の実施形態から大きく機能、作用が変更されるものではない。
【００５０】
しかして実施形態に係るハサミＡは、作動子５１が第二ハンドル４のハンドル本体４１から突没させ得る態様とすることにより、両ブレード１、２を両刃１１、２１の刃線１２、２２が刃峰２４、１４から突出しない閉じ姿勢（Ｒ１）から両刃１１、２１の刃線１２、２２が開いた状態で露出する開き姿勢（Ｑ１）までの間でのみブレード１、２を開閉動作させることができるハサミモード（Ｑ）と、少なくとも第一ブレード１の刃１１の刃先部分１７が第二ブレード２の刃峰２４側に露出するカッター姿勢（Ｐ１）をとることを許容するカッターモード（Ｐ）のいずれかを選択することができるように構成されたモード切替え機構５を実現している。なお同実施形態において、第二ハンドル４のハンドル本体４１が作動子５１を突没可能に支持し得る具体的な構成については既存の種々の構成を適用し得るため、説明を省略する。
【００５１】
具体的に説明すると、モード切替え機構５は、作動子５１が第二ハンドル４のハンドル本体４１から第一ハンドル３側へ突出した図９に示すハサミモード（Ｑ）と、作動子５１が第二ハンドル４内に没入し当該作動子５１が第一ハンドル３に係り合わずに図１０に示すカッター姿勢（Ｐ１）をとり得るカッターモード（Ｐ）とを切り替えることができるものである。
【００５２】
このモード切替え機構５は、第一ハンドル３側に設けられ作動子５１に当接し得る当たり面５１ｃと、この当たり面５１ｃに当接し得るカッター禁止面５１ｂを有し上述の如く第二ハンドル４のハンドル本体４１に突没可能に設けられた作動子５１とを有している。
【００５３】
図９に示すハサミモード（Ｑ）では、ハサミＡを開き姿勢（Ｑ１）から両ブレード１、２を閉じていっても、当たり面５１ｃとカッター禁止面５１ｂとが当接する閉じ姿勢（Ｒ）から、それ以上両ブレード１、２を回動させることができない。
【００５４】
図１０に示すカッターモード（Ｐ）は、当たり面５１ｃとカッター禁止面５１ｂとが当接せずにハサミＡは開き姿勢（Ｑ１）から閉じ姿勢（Ｒ１）を超え、さらにブレード１、２を相対回動させたカッター姿勢（Ｐ１）である。本実施形態では同図に示すカッターモード（Ｐ）においてハサミＡを開き姿勢（Ｑ１）とすることができる点で上記第一の実施形態とは異なる。しかし勿論、カッターモード（Ｐ）において開き姿勢（Ｑ１）への動作を禁止する別異の構成を付与することを妨げない。
【００５５】
本実施形態のようなものであっても、上記第一の実施形態に係るハサミＡと同様の作用効果を奏する。
＜第三の実施形態＞
以下、本発明の第三の実施形態について説明する。当該実施形態において上記第一の実施形態の構成要素に相当するものに対しては同じ符号を付すとともに、その詳細な説明を省略する。
【００５６】
図１１〜図２４に示す本実施形態に係るハサミＡは、上記第一の実施形態に係るハサミＡに対し、第一ブレード１の刃先の形状が特に異なる点、両ハンドル３、４の外形及び構造が異なる点、ブレードガード７の形状が異なる点、モード切替え機構５がハサミモード（Ｑ）とカッターモード（Ｐ）との間の切り替え機能のみを有しているとともに前記カッターモード（Ｑ）で手を離すと自動的にハサミモード（Ｑ）に自己復帰する点で相違点が存在するものの、基本的には上記第一の実施形態から大きく機能、作用が変更されるものではない。
【００５７】
すなわち、本実施形態のハサミＡは、刃１１、２１を有した第一ブレード１と第二ブレード２とを開閉動作させて、前記両刃間に配された被切断物を鋏み切るようにしたハサミであって、前記第一ブレード１の刃１１の刃線１２が前記第二ブレード２の刃峰２４側から突出せず且つ前記第二ブレード２の刃２１の刃線２２が前記第一ブレード１の刃峰１４側から突出しない閉じ姿勢Ｒ１から前記両刃１１、２１の刃線１２、２２が開いた状態で露出する開き姿勢Ｑ１までの間でのみ前記ブレード１、２を開閉動作させることができるハサミモード（Ｑ）と、前記第一ブレード１の刃１１の刃先部分１７が前記第二ブレード２の刃峰２４側に露出するカッター姿勢Ｐ１をとることを許容するカッターモード（Ｐ）とのいずれかを選択することができるように構成されており、何らの操作が加えられないときにはカッターモード（Ｐ）以外のモードすなわちこの実施形態ではハサミモード（Ｑ）に自己復帰するモード切替え機構５を備えている。
【００５８】
第一ブレード１は、基本的には前記第一の実施形態と同様な構成をなすが、刃先部分１７の形状が異なっている。すなわち、この第一ブレード１の刃先部分１７には、図１６、図２０、図２１及び図２２に示すように、該刃先部分１７の最先端１７ａにおける刃角度をより小さくするための鋭利化処理部１０１を設けている。この鋭利化処理部１０１は、刃表面１５の先端及びその近傍に、研削加工を施すことにより形成されたもので、外観的には、三角形状をなしている。
【００５９】
第一ブレード１の基端側の領域１ｃに設けられた第一ハンドル３は、図１６に示すように、硬質材料により作られたハンドル本体３０１と、このハンドル本体３０１に設けられ軟質材料により作られた指当て部材３０２とを備えている。前記ハンドル本体３０１は、第一ブレード１の基端部を保持するためのもので、指掛孔３０１ａを形成するための環状部３０５を備えている。この実施形態においては、前記ハンドル本体３０１は、右硬質部品３０３と、左硬質部品３０４とを備えたもので、前記第一ブレード１の基端部を挟持している。左右の硬質部品３０３、３０４は、それぞれ合成樹脂成形品であり、前記各硬質部品３０３、３０４は、成型の都合によりそれぞれ１又は複数の小部品を結合して作ることができる。なお、左右の硬質部品３０３、３０４は、一体に成形するようにしてももちろんよい。前記指当て部材３０２は、右軟質部品３０６と、左軟質部品３０７とを備えたもので、前記環状部３０５に装着されている。各軟質部品３０６、３０７は、それぞれ軟質樹脂成形品であり、前記環状部３０５の内周に装着される内周被覆部３０８、３０９と、前記環状部３０５の外周の一部に添接される外周被覆部３１０、３１１とを備えている。各軟質部品３０６、３０７は、成型の都合によりそれぞれ１又は複数の小部品を結合して作ることができる。なお、左右の軟質部品３０６、３０７は、一体に成形するようにしてももちろんよい。
【００６０】
第二ブレード２の基端側の領域２ｃに設けられた第二ハンドル４は、図１７に示すように、硬質材料により作られたハンドル本体４０１と、このハンドル本体４０１に設けられ軟質材料により作られた指当て部材４０２とを備えている。前記ハンドル本体４０１は、第二ブレード２の基端部を保持するためのもので、指掛孔４０１ａを形成するための環状部４０５を備えている。この実施形態においては、前記ハンドル本体４０１は、右硬質部品４０３と、左硬質部品４０４とを備えたもので、前記第二ブレード２の基端部を挟持している。左右の硬質部品４０３、４０４は、それぞれ合成樹脂成形品であり、前記各硬質部品４０３、４０４は、成型の都合によりそれぞれ１又は複数の小部品を結合して作ることができる。なお、左右の硬質部品４０３、４０４は、一体に成形するようにしてももちろんよい。前記指当て部材４０２は、右軟質部品４０６と、左軟質部品４０７とを備えたもので、前記環状部４０５に装着されている。各軟質部品４０６、４０７は、それぞれ軟質樹脂成形品であり、前記環状部４０５の内周に装着される内周被覆部４０８、４０９と、前記環状部４０５の外周の一部に添接される外周被覆部４１０、４１１とを備えている。各軟質部品４０６、４０７は、成型の都合によりそれぞれ１又は複数の小部品を結合して作ることができる。なお、左右の軟質部品４０６、４０７は、一体に成形するようにしてももちろんよい。
【００６１】
以上説明した指当て部材３０２、４０２の内周被覆部３０８、３０９、４０８、４０９は、ハサミモード（Ｑ）の際に指が触れる位置に設けられたものであり、外周被覆部３１０、３１１、４１０、４１１は、カッターモード（Ｐ）の際に指が触れる位置に設けられたものである。
【００６２】
前記ブレードガード７は、前記第一の実施形態と同様にして第一ブレード１の刃峰１４に装着されたものであるが、前記第一の実施形態のものとはその横断面形状が異なっている。すなわち、図２４に示すように、このブレードガード７の押圧操作面７０１は平坦ではなく、緩やかな円筒面をなしている。
【００６３】
モード切替え機構５は、本実施形態では第一ブレード１及び第二ブレード２の基端側の領域１ｃ、２ｃにおいて第一ハンドル３及び第二ハンドル４の間に設けられている。このモード切替え機構５は第二ハンドル４に対しスライド可能に取り付けられた作動子５０１の位置を調整することにより、上記の通りハサミモード（Ｑ）及びカッターモード（Ｐ）を任意に切り替え得るものである。以下、このモード切替え機構５の構成について、図１７〜図２２を用いて説明する。
【００６４】
モード切替え機構５は、第二ハンドル４に設けられハサミモード位置（Ｑ０）とカッターモード位置（Ｐ０）との間でスライド可能な作動子５０１と、この作動子５０１を前記ハサミモード位置（Ｑ０）からカッターモード位置（Ｐ０）までの間で往復動作可能に支持するスライド案内部５０３と、前記作動子５０１をハサミモード位置方向に付勢する弾性付勢部材である圧縮コイルスプリング５０４と、前記作動子５０１に係り合って第二ハンドル４の第一ハンドル３に対する動作を許容又は制限するための係合部５０２とを有している。
【００６５】
前記作動子５０１は、前記第二ハンドル４の外面側に配されたスライド操作体５０５と、前記第二ハンドル４の内面側に配され前記スライド操作体５０５と一体的にスライド動作するスライダ５０６と、このスライダ５０６の表面に突設されたピン５０７とを備えている。
【００６６】
前記スライド操作体５０５は、使用者の手指から操作力を滑り無く受け得るよう、表面に細かな凹凸が形成されたもので、前記スライダ５０６を結合させるための係合窓５０８を有するとともに、裏面にスライド案内用の突条５０９を有している。前記係合窓５０８は蓋体５１０により閉塞されている。
【００６７】
前記スライダ５０６は、前記第二ハンドル４の内面側に配されるスライダ本体５１１と、このスライダ本体５１１の裏面から突設された対をなす弾性爪５１２とを備えたもので、前記弾性爪５１２を前記第二ハンドル４を貫通させて前記スライド操作体５０５の係合窓５０８に係り合わせることにより前記スライド操作体５０５に結合されるようになっている。
【００６８】
前記ピン５０７は、前記スライダ５０６のスライダ本体５１１の表面に一体に突設されたもので、第一ブレード１の基端側の領域１ｃにおける刃峰１４側に対面する下向きの係止面５１３と、前記下向きの係止面５１３に対して傾斜させて設けられた後下向きのカム面５１４とを有している。
【００６９】
前記スライド案内部５０３は、前記第二ハンドル４の外面に形成され前記スライド操作体５０５をスライド可能に案内する外側凹陥部５１５と、前記第二ハンドル４の内面に形成され前記スライダをスライド可能に案内する内側凹陥部５１６と、この内側凹陥部５１６と前記外側凹陥部との間に設けられた隔壁５１７とを備えたもので、前記隔壁５１７には、前記弾性爪が貫通する貫通窓５１８と、前記スライド操作体５０５の突条５０９がスライド可能に嵌合するスライド案内溝５１９とが設けられている。そして、前記隔壁５１７には、前記圧縮コイルスプリング５０４の一端を保持するスプリングリテーナ５２０が設けられている。前記圧縮コイルスプリング５０４の他端は、前記スライド操作体５０５の前記貫通窓５１８を形成する窓形成壁５２１に当接させてある。
【００７０】
前記係合部５０２は、前記第一ブレード１の基端側の領域１ｃにおける刃峰１４側に突起を設けたもので、この突起には、ハサミモード（Ｑ）において前記ピン５０７の下向きの係止面５１３に当接する上向きの係止面５２２と、この上向きの係止面５２２に対して傾斜させて設けられ主としてカッターモード（Ｐ）からハサミモード（Ｑ）に自己復帰する際に前記ピン５０７の後下向きのカム面５１４に摺接する前上向きのカム面５２３とが形成されている。そして、前記第一ハンドル３には、前記係合部５０２の上方に前記ピン５０７を位置させるための空間を形成すべく、肉盗み部３１２が設けられている。
【００７１】
また、第一ハンドル３には、前記カッターモード（Ｐ）において前記第二ハンドル４の下面に当接する係止突起３１３が設けられている。
【００７２】
この実施形態では、操作を加えない通常時は、作動子５０１が圧縮コイルスプリング５０４の付勢力により、ハサミモード位置（Ｑ０）に保持されている。そのため、第一、第二のハンドル３、４に指を掛けて通常のハサミとして使用することができる。すなわち、第一、第二ハンドル３，４を相寄る方向に付勢すると、図２０に示すように、前記モード切替え機構５における係合部５０２の上向きの係止面５２２が前記ピン５０７の下向きの係止面５１３に当接し、ハサミＡが閉じ姿勢（Ｒ１）となる。第一、第二のハンドル３，４を離間方向に付勢すると、図２１に示すように、ハサミが開き姿勢（Ｑ１）となる。一方、閉じ姿勢（Ｒ１）から作動子５０１のスライド操作体５０５を圧縮コイルスプリング５０４の付勢力に抗してハサミモード位置（Ｑ０）からカッターモード位置（Ｐ０）までスライド操作するとともに、第一、第二のハンドル３，４を相寄る方向に付勢すると、ピン５０７と係合部５０２とが食い違った位置で相対回動し、上向きの係止面５２２と下向きの係止面５１３とが係り合うことがない。そのため、ハサミＡは、図１５及び図２２に示すようなカッターモード（Ｐ）となる。この操作は、第一ハンドル３の指当て部材３０２の外周被覆部３１０、３１１と、第二ハンドル４の指当て部材４０２の外周被覆部４１０、４１１とに指を掛けて行うのが望ましい。
【００７３】
このカッターモード（Ｐ）から第一、第二ハンドル３，４を相寄る方向に付勢する操作を中止すると、前記作動子５０１が圧縮コイルスプリング５０４の付勢力により強制的にカッターモード位置（Ｐ０）からハサミモード位置（Ｑ０）に移動し、ハサミＡがカッターモード（Ｐ）からハサミモード（Ｑ）に自己復帰する。すなわち、作動子５０１がハサミモード位置（Ｑ０）に向かう方向に強制移動する過程で作動子５０１の後下向きカム面５１４が係合部５０２の前上向きカム面５２３を押圧しつつ摺動し、第一ブレード１がカッター姿勢（Ｐ１）から閉じ姿勢（Ｑ１）に強制的に復帰させられる。
【００７４】
このようなものであれば、特別な操作を加え続けない限りカッターモード（Ｐ）を維持することができないため、このハサミＡを手渡す際等に刃線１２が露出しない状態で取り扱うことができ、このようなハサミを安全に取り扱うことができる。
【００７５】
また、本実施形態では、第一ブレード１の刃先部分１７に、該刃先部分１７の最先端１７ａにおける刃角度をより小さくするための鋭利化処理部１０１を設けているので、第一のブレード１における刃先部分１７の最先端１７ａを紙に当ててカッターとして使用する際の切れ味をより高めることができる。
【００７６】
さらに、本実施形態の構成によっても、上記第一の実施形態に係るハサミＡにおけるもののうち、最も重要な作用効果を得ることができる。すなわち、ハサミモード（Ｑ）における閉じ姿勢（Ｒ１）にあるハサミＡの両ブレード１、２を握る動作をしても、第一ブレード１の刃１１の刃先部分１７が誤って使用者の手指等に触れてしまうという不具合を有効に回避せしめることができるという効果を得ることができる。また、モード切替え機構５を使用者が操作してカッターモード（Ｐ）としたときにはじめてカッターのように使用することができるので、モード切替え機構５をカッターモード（Ｐ）に切り替えた使用者自身に第一ブレード１の刃先部分１７を十分に認識させ、上記不具合を未然に回避させることができるという効果も得ることができる。
【００７７】
以上、本発明の第一、第二及び第三の実施形態について説明したが、各部の具体的な構成は、上述した実施形態のみに限定されるものではなく、本発明の趣旨を逸脱しない範囲で種々変形が可能である。
【００７８】
例えば、上記実施形態ではモード切替え機構をハンドルに設けた態様を開示したが勿論、ブレード側に設けたり、両ブレードの枢着位置近傍に設けたり、両ブレードの枢着位置をずらすようにブレードを動作させることによりモード切替え機構を実現する等、モード切替え機構の構成は種々変更が可能である。またハンドルやブレードの具体的な態様は上記実施形態のものに限定されることはなく、既存のものを含め、種々の態様のものを適用することができる。よって勿論、ブレードの仕様として所謂グルーレス仕様を適用しても良い。具体的には、両ブレードの刃裏面に凹みを設けることによりグルーレス仕様を実現したものや、両ブレードの表面にチタンコートやフッ素コートといった加工を施すことによって仕様を実現したものであっても良い。また刃の構造として、刃線をアーチ状に湾曲させてなる所謂「アーチ刃」の構造としたものや、刃線から刃表面に亘る部分を鋸歯形状に成形した所謂「ギザ刃」と称される構造としたものであっても良い。また当該「ギザ刃」の構造を適用した場合、カッターモードでの使用時における安全性の向上に資する。
【００７９】
また、上記第一の実施形態では、モード切替え機構が、ハサミモードと、カッターモードと、ロックモードとのうちのいずれかを選択することができるように構成されたものであるが、第一の実施形態に係るものと同様の構成を有するハサミにおいて、モード切替え機構を、ハサミモードと、カッターモードとのうちのいずれか一方のみを選択することができるように構成されたものとしてもよい。逆に、上記第二及び第三の実施形態では、モード切替え機構が、ハサミモードと、カッターモードとのうちのいずれか一方のみを選択することができるように構成されたものであるが、第二又は第三の実施形態に係るものと同様の構成を有するハサミにおいて、モード切替え機構を、ハサミモードと、カッターモードと、ロックモードとのうちのいずれかを選択することができるように構成されたものとしてもよい。
【００８０】
その他、各部の具体的構成についても上記実施形態に限られるものではなく、本発明の趣旨を逸脱しない範囲で種々変形が可能である。
【産業上の利用可能性】
【００８１】
本発明は刃を有した第一のブレードと第二のブレードとを開閉動作させて、前記両刃間に配された被切断物を鋏み切るようにしたハサミとして利用することができる。
【符号の説明】
【００８２】
Ａ…カッター機能付きハサミ（ハサミ）
１…第一のブレード（第一ブレード）
１７…第一のブレードの刃先部分（刃先部分）
２…第二のブレード（第二ブレード）
２８…凹み部分
１１、２１…刃
１２、２２…刃線
５…モード切替え機構
５１、５０１…作動子
５２、５０２…係合部
５４…弾性付勢部材（板ばね）
５０４…弾性付勢部材（圧縮コイルばね）
Ｐ…カッターモード
Ｐ１…カッター姿勢
Ｑ…ハサミモード
Ｑ１…開き姿勢
Ｒ…ロックモード
Ｒ１…閉じ姿勢
Ｓ…被切断物（紙）
【図１】
0006776712.tif 000002
【図２】
0006776712.tif 000003
【図３】
0006776712.tif 000004
【図４】
0006776712.tif 000005
【図５】
0006776712.tif 000006
【図６】
0006776712.tif 000007
【図７】
0006776712.tif 000008
【図８】
0006776712.tif 000009
【図９】
0006776712.tif 000010
【図１０】
0006776712.tif 000011
【図１１】
0006776712.tif 000012
【図１２】
0006776712.tif 000013
【図１３】
0006776712.tif 000014
【図１４】
0006776712.tif 000015
【図１５】
0006776712.tif 000016
【図１６】
0006776712.tif 000017
【図１７】
0006776712.tif 000018
【図１８】
0006776712.tif 000019
【図１９】
0006776712.tif 000020
【図２０】
0006776712.tif 000021
【図２１】
0006776712.tif 000022
【図２２】
0006776712.tif 000023
【図２３】
0006776712.tif 000024
【図２４】
0006776712.tif 000025